(57)【特許請求の範囲】
【請求項１】
供給ヘッドに部品を一時係止する仮止室が形成され、
仮止室に停止している部品を進退作動式の押出しロッドで押し出して目的箇所である相手方部品の凹形状部内へ進入させる形式のものであって、
凹形状部内を貫通して突出している進退作動式の受動ロッドの先端部が仮止室に一時係止されている部品の押出し方向側の近傍に待機するように構成し、
押出しロッドの進出によって押出しロッドの先端部と受動ロッドの先端部の間に部品が挟み付けられて部品と凹形状部の中心軸線が合致した状態で部品が凹形状部内へ挿入されるように構成し、
部品を介して受動ロッドが後退して押出しロッドの進出が停止したときに、受動ロッドに復帰反力が生じることなく受動ロッドの停止位置を維持するように構成された制動手段が設けられ、
制動手段には受動ロッドに制動力を付与する制動部材が設けられていることを特徴とする押し出し式部品供給装置。
【請求項２】
供給ヘッドに部品を一時係止する仮止室が形成され、
仮止室に停止している部品を進退作動式の押出しロッドで押し出して目的箇所である相手方部品の凹形状部内へ進入させる形式のものであって、
凹形状部内を貫通して突出している進退作動式の受動ロッドの先端部を仮止室に一時係止されている部品の押出し方向側の近傍に待機させ、
押出しロッドの進出によって押出しロッドの先端部と受動ロッドの先端部の間に部品が挟み付けられて部品と凹形状部の中心軸線が合致した状態で部品を凹形状部内へ挿入し、
部品を介して受動ロッドが後退して押出しロッドの進出が停止したときに、受動ロッドに制動力を付与する制動部材が設けられた制動手段によって、受動ロッドに復帰反力が生じることなく受動ロッドの停止位置を維持することを特徴とする押し出し式部品供給方法。
【発明の詳細な説明】
【技術分野】
【０００１】  この発明は、仮止室に進入してきた部品を一時係止し、この部品を押出しロッドで目的箇所へ供給する形式の押し出し式部品供給装置および供給方法に関している。
【背景技術】
【０００２】  特許第４２０７１６８号公報には、進退式供給ロッドの先端部に設けられた保持ヘッドにボルトを保持し、保持ヘッドを進出させてボルト先端部がわずかに受入孔に進入した段階でボルトを押出し部材で押し出して、ボルトを受入孔の奥まで挿入することが記載されている。
【先行技術文献】
【特許文献】
【０００３】
【特許文献１】特許第４２０７１６８号公報
【発明の概要】
【発明が解決しようとする課題】
【０００４】  上記特許文献に記載されている技術は、進退式供給ロッドの先端に保持ヘッドが取り付けられているので、何らかの原因で供給ロッドの進退軸線に位置ずれが発生すると、ボルトと受入孔の相対位置が狂い、ボルトが受入孔に入らない、という問題がある。また、ボルトは静止した壁面などでガイドがなされていないので、押出し部材でボルトを押し出すときにボルトが傾斜したりすると、受入孔に入らないこととなる。【０００５】  本発明は、上記の問題点を解決するために提供されたもので、仮止室に一時係止されている部品を位置ずれが生じない状態にして、窪みや挿入孔などの凹形状部へ正確に挿入するとともに、挿入後の挿入済み部品を容易に取り出すことを目的とする。
【課題を解決するための手段】
【０００６】  請求項１記載の発明は、押し出し式部品供給装置であり、
供給ヘッドに部品を一時係止する仮止室が形成され、
仮止室に停止している部品を進退作動式の押出しロッドで押し出して目的箇所である相手方部品の凹形状部内へ進入させる形式のものであって、
凹形状部内を貫通して突出している進退作動式の受動ロッドの先端部が仮止室に一時係止されている部品の押出し方向側の近傍に待機するように構成し、
押出しロッドの進出によって押出しロッドの先端部と受動ロッドの先端部の間に部品が挟み付けられて部品と凹形状部の中心軸線が合致した状態で部品が凹形状部内へ挿入されるように構成し、
部品を介して受動ロッドが後退して押出しロッドの進出が停止したときに、受動ロッドに復帰反力が生じることなく受動ロッドの停止位置を維持するように構成された制動手段が設けられ、
制動手段には受動ロッドに制動力を付与する制動部材が設けられていることを特徴としている。
【発明の効果】
【０００７】  仮止室に進入してきて所定の位置に一時係止された部品に対して、押出しロッドが進出すると、その先端部で部品を仮止室から押し出す。この押出しにより、部品が待機している受動ロッドに押し付けられ、部品は押出しロッドの先端部と受動ロッドの先端部の間で挟み付けられる。【０００８】  受動ロッドは凹形状部内を貫通しているので、受動ロッドの中心軸線と凹形状部の中心軸線を正確に合致させることができ、同時に、仮止室に一時係止されている部品の中心軸線を凹形状部の中心軸線と合致させておくことにより、押出しロッドと受動ロッドに挟み付けられた部品の中心軸線が凹形状部の中心軸線と合致し、この挟み付け状態のまま部品が移動することにより、部品は窪みや挿入孔などの凹形状部内へ正確に挿入される。上記のように、各部の中心軸線が合致して部品が挟み付け状態におかれているので、部品の中心軸線が押出しロッドや受動ロッドの中心軸線からずれるようなことが防止でき、正確な挿入動作が確保される。【０００９】  上記挿入時には、押出しロッドだけの進出駆動がなされ、受動ロッドは部品を介して受動的に後退するとともに、制動手段によって受動ロッドには復帰反力が発生しないように動作する。制動手段では、受動ロッドに制動部材によって制動力が付与されているので、押出しロッドの進出が停止した位置で受動ロッドも部品を挟み付けた状態で停止する。このため、部品が挿入された相手方部品をつぎの工程へ移動させるときに、相手方部品内、すなわち凹形状部内への受動ロッドの進入長さが短くなるので、相手方部品を受動ロッドから離脱させて移動することが容易になり、加工組立工程などが簡素化される。【００１０】  請求項２記載の発明は、押し出し式部品供給方法であり、
供給ヘッドに部品を一時係止する仮止室が形成され、
仮止室に停止している部品を進退作動式の押出しロッドで押し出して目的箇所である相手方部品の凹形状部内へ進入させる形式のものであって、
凹形状部内を貫通して突出している進退作動式の受動ロッドの先端部を仮止室に一時係止されている部品の押出し方向側の近傍に待機させ、
押出しロッドの進出によって押出しロッドの先端部と受動ロッドの先端部の間に部品が挟み付けられて部品と凹形状部の中心軸線が合致した状態で部品を凹形状部内へ挿入し、
部品を介して受動ロッドが後退して押出しロッドの進出が停止したときに、受動ロッドに制動力を付与する制動部材が設けられた制動手段によって、受動ロッドに復帰反力が生じることなく受動ロッドの停止位置を維持することを特徴としている。【００１１】  この方法発明の効果は、上記装置発明の効果と同じである。
【図面の簡単な説明】
【００１２】
【図１】装置全体の断面図である。
【図２】挿入動作の順序を示す断面図である。
【図３】制動手段の事例を示す断面図である。
【図４】他の制動手段の事例を示す断面図である。
【図５】さらに他の制動手段の事例を示す断面図である。
【図６】中空部品における装置の断面図である。
【発明を実施するための形態】
【００１３】  つぎに、本発明の押し出し式部品供給装置および供給方法を実施するための形態を説明する。
【実施例】
【００１４】  図１〜図６は、本発明の実施例を示す。【００１５】  最初に、供給の対象となる部品について説明する。【００１６】  供給される部品は、軸状部品、中空型部品、四角い部品など種々なものがある。この実施例では、軸状部品である。【００１７】  部品１は、断面円形の軸部２とその端部に形成されている断面円形の大径部３によって構成されており、鉄製である。各部の寸法は、軸部２の全長と直径がそれぞれ１３ｍｍと６ｍｍ、大径部３の直径と厚さがそれぞれ１４ｍｍと５ｍｍである。【００１８】  つぎに、押し出し式部品供給装置を全体的に説明する。【００１９】  装置の機枠などの静止部材３０に固定された金属製の通路部材４に送給通路５が形成され、その終端位置に部品１を一時係止する仮止室６が形成してある。このように通路部材４の終端部分に仮止室６が設けられており、この部分が供給ヘッド７である。仮止室６に一時係止されている部品１は、仮止室６から押し出されて目的箇所に進入する。この目的箇所が相手方部品８に形成された受入孔９である。【００２０】  部品は凹形状部に挿入されるものであり、凹形状部の具体的な形態としては真っ直ぐな断面円形の受入孔９であったり、図示していないが、部品を嵌め込む窪みであったりする。【００２１】  つぎに、送給通路について説明する。【００２２】  ウレタン樹脂のような合成樹脂で作られた供給ホース１０が通路部材４に接続してある。部品１は、パーツフィーダ（図示していない）から供給ホース１０を通って通路部材４の箇所に送給されてくる。通路部材４に形成されている送給通路５と同じ断面形状の送給通路１１が、供給ホース１０に設けてある。そして、送給通路１１と送給通路５は滑らかに連通している。送給通路１１と５は、大径部３が通過する拡幅部１２と、軸部２が通過する狭幅部１３によって構成されており、大径部３の下面を滑動できる状態で支持する滑動面１４が設けてある。図１（Ｂ）に示すように、左右の滑動面１４、１４は紙面に対して垂直な方向に伸びた平行な状態で配置され、部品１は大径部３の下面が滑動面１４上を摺動し、いわゆる首吊り状態で移送される。【００２３】  送給通路１１および５内を部品１が移行するようにするために、送給通路１１、５を傾斜させて部品を滑降させるか、あるいは送給通路１１、５に送給振動を付与した直進フィーダーの形式とすることができる。【００２４】  つぎに、供給ヘッドについて説明する。【００２５】  送給通路５の終端部位に配置された仮止室６は、首吊り状態で送給されてきた部品１をそのままの姿勢で一時係止している。部品１は、送給通路５の送給方向に対して直交する向きに押し出されるもので、そのために出口開口１５が設けてある。【００２６】  部品１を停止させる機能と押し出し時のガイドをする機能を果たすために、ガイド面１６が部品１の進行方向の端部に設けてある。ガイド面１６は大径部３を受け止めるようになっている。ガイド面１６は、大径部３の外周面にぴったりと合致する半円弧面の形状とされている。そして、ガイド面１６の下部は出口開口１５と同様に下側に開放されている。【００２７】  大径部３をガイド面１６に密着させるために、吸引手段が配置してある。吸引手段の具体的な��造としては、磁石式や空気吸引式など種々なものが採用できる。ここでは、前者の磁石式である。通路部材４の端部側から埋め込んだ永久磁石１７の吸引力によって、大径部３がガイド面１６に密着している。図１（Ａ）において、部品１を斜め上方に吸引するために、永久磁石１７を大径部３の上側の方へ寄せ付けて配置し、永久磁石１７の吸引力が斜め上方に作用するようになっている。したがって、吸引されて停止している部品１は、大径部３の上面が拡幅部１２の天井面１８に密着している。部品１の円筒外周面がガイド面１６に密着していることと、大径部３の上面が天井面１８に密着していることにより、部品１の一時係止位置が常に一定箇所に定まっている。【００２８】  この実施例では、送給通路５の送給方向が水平方向であり、部品１はその中心軸線が鉛直方向を向いた状態で送給される。そして、仮止室６に一時係止されている部品１も鉛直方向の姿勢とされている。部品１を鉛直方向に押し出す押し出し手段２０が設けてある。押し出し手段２０としては、エアシリンダ式や進退出力式電動モータなど種々なものが採用できる。ここでは、エアシリンダ式である。通路部材４の上面にエアシリンダ２１が固定され、そのピストンロッド２２が通路部材４に開けた通孔２３を貫通して仮止室１６内に突き出るようになっている。このピストンロッド２２が押出しロッドであり、押出しロッドにも符号２２が付してある。【００２９】  つぎに、相手方部品の配置について説明する。【００３０】  一方、相手方部品８に開けられた受入孔９が、部品供給の目的箇所である。目的箇所の形状としては、受入孔９のような円形の真っ直ぐな孔であったり、四角い窪みであったりするので、包括的に上述のように、「凹形状部」と表現している。受入孔９は鉛直方向に配置してある。押出しロッド２２、軸状の部品１、受入孔９および後述の受動ロッドは、中心軸線Ｏ−Ｏ上に配列されており、中心軸線Ｏ−Ｏの向きは鉛直方向になっている。この状態において部品１（軸部２）と凹形状部である受入孔９が押出し方向において一直線上に配置される。【００３１】  相手方部品８は、静止部材３０に固定された支持部材２４の受け凹部２５に嵌め込まれている。受け凹部２５の深さは、相手方部品８のずれ動きを防止する程度に浅く設定され、相手方部品８の下部がぴったりと嵌め込まれ、受入孔９の中心軸線が前記中心軸線Ｏ−Ｏと合致するようになっている。【００３２】  つぎに、受動ロッドについて説明する。【００３３】  断面円形の軸状部材で構成された受動ロッド２７は、鉛直方向に配置してあり、受入孔９と同軸状態になって受入孔９から上方に突き出ている。そして、受動ロッド２７の先端部は、軸部２の押出し方向側の近くに位置している。すなわち、受入孔９を貫通して突出している受動ロッド２７の先端部が、仮止室６に一時係止されている部品１の押出し方向側の近傍に待機している。【００３４】  この「近傍」とは、押出しロッド２２が進出を開始して部品１を押出し始めると、直ちに軸部２の下端面が受動ロッド２７の上端面に突き当たるような状態を意味している。別の見方をすると「近傍」とは、出口開口１５に接近した空間域に受動ロッド２７の先端部が位置していることを意味している。さらに別の見方をすると「近傍」とは、部品１が押し出されるときに、部品１がガイド面１６を擦りながらガイドされている間の区間のストローク範囲内に、受動ロッド２７の先端部が待機していることを意味している。このようなガイドされている区間内に受動ロッド２７の先端部が待機していることにより、少なくとも部品１が受動ロッド２７に突き当たるまでは、部品１の傾きによる中心軸線Ｏ−Ｏからの位置ずれが防止され、受入孔９に対する部品１の挿入精度が向上する、という利点がある。【００３５】  受動ロッド２７は進退作動式とされ、支持部材２４の中央部を貫通して、受入孔９内を進退する。【００３６】  つぎに、制動手段について説明する。【００３７】  受入孔９を貫通している受動ロッド２７は、その下側に制動力を受ける制動部２８が受動ロッド２７と一体的に形成されている。この制動部２８は、受動ロッド２７よりも大径の軸部材で構成され、静止部材３０に支持されて進退動作をするようになっている。このため、静止部材３０に支持孔２９が形成されて、支持孔２９に挿入された制動部２８が進退動作式とされている。【００３８】  制動手段３１は、受動ロッド２７に復帰反力が生じることなく受動ロッド２７の停止位置を維持するように構成されており、図１および図２においては２点鎖線で概括的に示され、符号３１が付してある。【００３９】  制動手段３１は、制動部２８に制動力を付与するもので、種々な形式のものが採用できる。【００４０】  図３に示した制動手段３１の事例は、加圧スプリングを用いたタイプのものであり、静止部材３０に固定されたブロック状の部材からなる制動本体３２の通孔３３を制動部２８が貫通し、制動本体３２に設けた収容孔３４に制動部材である押さえパッド３５と加圧スプリング３６を収容し、封鎖ボルト３７を収容孔３４にねじ込んである。押さえパッドとしては、耐摩耗性にすぐれた合成樹脂、例えば、ポリテトラフルオロエチレン（商品名：テフロン）を押さえ片として制動部２８に押し付ける。このような制動構造によって、押し下げられた受動ロッド２７は、復帰反力が生じることなくその停止位置を維持する。【００４１】  図４に示した制動手段３１の事例は、制動部材として加圧ゴムを用いたタイプのものであり、制動部２８の左右から押さえゴム３８が弾力的に制動部２８を加圧している。【００４２】  図５に示した制動手段３１の事例は、制動部材として永久磁石を用いたタイプのものであり、永久磁石３９の吸引力が制動部２８に作用して、制動部２８が通孔３３の内面に引きつけられるようになっている。図５の事例では、制動部２８を磁性体である鉄製としてある。【００４３】  つぎに、受動ロッドの復帰機構について説明する。【００４４】  押出しロッド２２の進出によって制動部２８とともに押し下げられた受動ロッド２７は、相手方部品８を取り出した後に、つぎの相手方部品８の受入孔９内に再び進入させる必要がある。そのために、図１に示すように、復帰手段４１によって受動ロッド２７を押し戻すようになっている。復帰手段４１としては、エアシリンダ、電磁ソレノイドなど種々な機構が採用できるが、ここではエアシリンダである。エアシリンダにも符号４１が付されてお���、静止部材３０に固定され、ピストンロッド４２は鉛直方向に進退する。ピストンロッド４２の先端に、プッシュ片４３が固定してある。【００４５】  部品１は、空気噴射などで高速移送がなされる。これを一旦停止して低速で仮止室６へ移送している。そのためにストッパ部材４８が送給通路５内に進入して、部品１を一旦停止させている。このストッパ部材４８は通路部材４の上面に取り付けたエアシリンダ４９によって進退するようになっている。ここでは、エアシリンダ４９のピストンロッド自体がストッパ部材４８とされている。【００４６】  つぎに、装置の動作を説明する。【００４７】  図１は、部品１が仮止室６内で永久磁石１７に吸引されて、大径部３がガイド面１６に密着して位置決めされている状態を示す。このとき、軸部２は受入孔９と同軸になっていて、中心軸線Ｏ−Ｏと同軸になっている。そして、押出しロッド２２は最も後退した位置にあり、他方、受動ロッド２７は受入孔９を貫通して、その先端部が軸部２の先端部の近傍に位置している。【００４８】  ここでエアシリンダ２１によって押出しロッド２２が進出すると、押出しロッド２２の下端面が部品１の大径部２の上面に突き当たり、部品１はガイド面１６に沿って押し出されて行く。この動作により軸部２の下端面が受動ロッド２７の上端面に突き当たり、部品１は押出しロッド２２と受動ロッド２７によって挟み付けられ、軸部２、受入孔９、受動ロッド２７が中心軸線Ｏ−Ｏ上に整列する。【００４９】  引き続いて押出しロッド２２が進出すると、部品１は両ロッド２２と２７の間で挟み付けられ、図２（Ａ）に示すように、軸部２が受入孔９内に進入する。部品１が上記のように挟み付けられて移動するときには、制動手段３１の動作で受動ロッド２７の後退動作に制動がなされ、受動ロッド２７に復帰反力は発生しない。つまり、受動ロッド２７は、部品１を介して押出しロッド２２によって受動的に押し下げられ、部品１の挟み付け状態が継続する。【００５０】  換言すると、押出しロッド２２の押し下げ力を、受動ロッド２７に付与されている、押さえパッド３５、押さえゴム３８、永久磁石３９などによる制動力に打ち勝った値に設定しておくことにより、制動のかかった受動ロッド２７の後退動作がなされる。【００５１】  さらに押出しロッド２２が進出して、図２（Ｂ）に示すように、軸部２が受入孔９内に入りきると、大径部３が相手方部品８の上面に当たって、押出しロッド２２の進出が停止する。押出しロッド２２の進出が停止したときに、受動ロッド２７（制動部２８）に対して、制動部材３５、３８、３９などが作用し、受動ロッド２７に復帰反力が生じることなく受動ロッド２７の停止位置を維持する。【００５２】  ついで、図２（Ｃ）に示すように、エアシリンダ２１によって押出しロッド２２が元位置に復帰すると、部品１が挿入された相手方部品８が支持部材２４から取り出される。この取り出しは、作業者が手で取り出しても良いが、２点鎖線で示したように、ロボット装置４４で取り出すことが望ましい。【００５３】  その後、新たな相手方部品８が支持部材２４にセットされ、引き続いて受動ロッド２７が進出し、仮止室６に入っている次の部品１の近傍に停止して、図１に示す初���の状態に戻る。【００５４】  ついで、異なった部品の場合を説明する。【００５５】  上述のように、供給される部品は、軸状部品、中空型部品、四角い部品など種々なものがある。図６に示した部品は、断面円形の鉄製とされた中空部品４５である。【００５６】  中空であるために、押出しロッド２２の先端部に部品４５の中空部に進入するガイドピン４６が設けられ、また、受動ロッド２７の先端部にも部品４５の中空部に相対的に進入するガイドピン４７が設けてある。それ以外の構成は、図示されていない部分も含めて図１のものと同じであり、同様な機能の部材には同一の符号が記載してある。そして、動作についても、先に説明した動作と同じである。【００５７】  なお、上記各種のエアシリンダに換えて、進退出力をする電動モータを採用することもできる。また、上記各種の永久磁石を電磁石に置き換えることも可能である。【００５８】  上述の押出しロッド２２、ストッパ部材４８の進退動作や、エアシリンダ（復帰手段）４１などの動作は、一般的に採用されている制御手法で容易に行うことが可能である。制御装置またはシーケンス回路からの信号で動作する空気切換弁や、エアシリンダの所定位置で信号を発して前記制御装置に送信するセンサー等を組み合わせることによって、所定の動作を確保することができる。【００５９】  以上に説明した実施例の作用効果は、つぎのとおりである。【００６０】  仮止室６に進入してきて所定の位置に一時係止された部品１に対して、押出しロッド２２が進出すると、その先端部で部品１を仮止室６から押し出す。この押出しにより、部品１が待機している受動ロッド２７に押し付けられ、部品１は押出しロッド２２の先端部と受動ロッド２７の先端部の間で挟み付けられる。【００６１】  受動ロッド２７は、凹形状部である受入孔９内を貫通しているので、受動ロッド２７の中心軸線Ｏ−Ｏと受入孔９の中心軸線Ｏ−Ｏを正確に合致させることができ、同時に、仮止室６に一時係止されている部品１の中心軸線Ｏ−Ｏを受入孔９の中心軸線Ｏ−Ｏと合致させておくことにより、押出しロッド２２と受動ロッド２７に挟み付けられた部品１の中心軸線が受入孔９の中心軸線Ｏ−Ｏと合致し、この挟み付け状態のまま部品１が移動することにより、部品１は受入孔９内へ正確に挿入される。上記のように、各部の中心軸線Ｏ−Ｏが合致して部品１が挟み付け状態におかれているので、部品１の中心軸線Ｏ−Ｏが押出しロッド２２や受動ロッド２７の中心軸線Ｏ−Ｏからずれるようなことが防止でき、正確な挿入動作が確保される。【００６２】  上記挿入時には、押出しロッド２２だけの進出駆動がなされ、受動ロッド２７は部品１を介して受動的に後退するとともに、制動手段３１によって受動ロッド２７には復帰反力が発生しないように動作する。制動手段３１では、受動ロッド２７に制動部材３５、３８、３９によって制動力が付与されているので、押出しロッド２２の進出が停止した位置で受動ロッド２７も部品１を挟み付けた状態で停止する。このため、部品１が挿入された相手方部品８をつぎの工程へ移動させるときに、相手方部品８内、すなわち受入孔９内への受動ロッド２７の進入長さが短くなるので、相手方部品８を受動ロッド２７から離���させて移動することが容易になり、加工組立工程などが簡素化される。【００６３】  支持部材２４には深さの浅い受け凹部２５が設けられ、そこに相手方部品８が嵌め込んであり、受動ロッド２７は押し下げられた位置で停止しているので、部品１が挿入された相手方部品８を取り出す時には、作業者が簡単に取り出すことができる。また、ロボット装置４４を用いた自動化も行うことが容易になる。【００６４】  供給方法の作用効果は、供給装置の作用効果と同じである。
【産業上の利用可能性】
【００６５】  上述のように、本発明によれば、仮止室に一時係止されている部品を位置ずれが生じない状態にして、窪みや挿入孔などの凹形状部へ正確に挿入するとともに、挿入後の挿入済み部品を容易に取り出すことが可能となる。したがって、自動車の車体組立工程や、家庭電化製品の板金組立工程などの広い産業分野で利用できる。
【符号の説明】
【００６６】  １    部品
２    軸部
３    大径部
６    仮止室
８    相手方部品
９    受入孔、凹形状部
２２    押出しロッド
２７    受動ロッド
３１    制動手段
３５    押さえパッド、制動部材
３８    押さえゴム、制動部材
３９    永久磁石、制動部材
４５    中空部品
４６    ガイドピン
４７    ガイドピン
Ｏ−Ｏ  中心軸線
【図１】
0006451994.tif 000002
【図２】
0006451994.tif 000003
【図３】
0006451994.tif 000004
【図４】
0006451994.tif 000005
【図５】
0006451994.tif 000006
【図６】
0006451994.tif 000007